(57)【特許請求の範囲】
【請求項１】
表示部と、
所定の画像処理装置で並行に実行中の複数のジョブのジョブ設定の中から、呼び出して再設定可能な登録ジョブ設定として登録するジョブ設定を選択するための選択指示を受け付けるジョブ設定選択受付部と、
前記ジョブ設定選択受付部が前記選択指示を受け付けるとき、ジョブ設定を選択するための選択情報を表示するように前記表示部を制御する表示制御部と、
前記ジョブ設定選択受付部によって受け付けられた前記選択指示に基づいて、前記選択されたジョブ設定を前記登録ジョブ設定として記憶する登録ジョブ設定記憶部と、
を有し、
前記複数のジョブのうち少なくとも１のジョブは、原稿を光学的に読み取るスキャン動作を伴うジョブであって、
前記表示制御部は、前記スキャン動作が実行される間、前記スキャン動作を伴う１のジョブのジョブ設定を登録するための登録ボタンを表示するように前記表示部を制御し、
前記ジョブ設定選択受付部は、前記登録ボタンが押下されることによって、前記選択指示を受け付ける
ことを特徴とするジョブ設定登録装置。
【請求項２】
表示部と、
所定の画像処理装置で並行に実行中の複数のジョブのジョブ設定の中から、呼び出して再設定可能な登録ジョブ設定として登録するジョブ設定を選択するための選択指示を受け付けるジョブ設定選択受付部と、
前記ジョブ設定選択受付部が前記選択指示を受け付けるとき、ジョブ設定を選択するための選択情報を表示するように前記表示部を制御する表示制御部と、
前記ジョブ設定選択受付部によって受け付けられた前記選択指示に基づいて、前記選択されたジョブ設定を前記登録ジョブ設定として記憶する登録ジョブ設定記憶部と、
を有し、
前記複数のジョブのうち少なくとも１のジョブは、原稿を光学的に読み取るスキャン動作を伴うジョブであって、
前記ジョブ設定選択受付部は、少なくとも前記スキャン動作が完了してから前記スキャン動作を伴う１のジョブが完了するまでの間に、前記１のジョブに関する選択情報を表示するための表示指示を受け付け、
前記表示制御部は、前記表示指示に基づいて、前記１のジョブに関する選択情報を表示するように前記表示部を制御し、
前記登録ジョブ設定記憶部は、前記ジョブ設定選択受付部が、前記表示部によって表示された前記１のジョブに関する選択情報から前記１のジョブを選択する旨の選択指示を受け付けたとき、前記１のジョブのジョブ設定を前記登録ジョブ設定として記憶する
ことを特徴とするジョブ設定登録装置。
【請求項３】
所定の画像処理装置で並行に実行中の複数のジョブのジョブ設定の中から、呼び出して再設定可能な登録ジョブ設定として登録するジョブ設定を選択するための選択指示を受け付けるジョブ設定選択受付部と、
前記ジョブ設定選択受付部によって受け付けられた前記選択指示に基づいて、前記選択されたジョブ設定を前記登録ジョブ設定として記憶する登録ジョブ設定記憶部と、
前記登録ジョブ設定として登録されることが禁止されるジョブ設定か否かを判定し、禁止されると判定したジョブ設定を前記登録ジョブ設定として登録することを禁止するジョブ設定登録判定部と、
を有する
ことを特徴とするジョブ設定登録装置。
【請求項４】
所定の画像処理装置で並行に実行中の複数のジョブのジョブ設定の中から、呼び出して再設定可能な登録ジョブ設定として登録するジョブ設定を選択するための選択指示を受け付けるジョブ設定選択受付部と、
前記ジョブ設定選択受付部によって受け付けられた前記選択指示に基づいて、前記選択されたジョブ設定を前記登録ジョブ設定として記憶する登録ジョブ設定記憶部と、
を有し、
前記登録ジョブ設定記憶部は、実行中のジョブのジョブ設定に対する前記選択指示を前記ジョブ設定選択受付部が受け付けていない状態で前記ジョブがバックグランドで実行されるとき、前記ジョブのジョブ設定を仮登録ジョブ設定として記憶し、
前記仮登録ジョブ設定として記憶されたジョブ設定を有するジョブが、前記記憶されてから所定期間経過前に、前記登録ジョブ設定記憶部から呼び出されることによって実行された場合、前記ジョブ設定を前記登録ジョブ設定として記憶し、
前記仮登録ジョブ設定として記憶されたジョブ設定が、前記所定期間経過前に、前記登録ジョブ設定記憶部から呼び出されることによって実行されなかった場合、前記ジョブ設定を消去する
ことを特徴とするジョブ設定登録装置。
【請求項５】
所定の画像処理装置で並行に実行中の複数のジョブのジョブ設定の中から、呼び出して再設定可能な登録ジョブ設定として登録するジョブ設定を選択するための選択指示を、複数のジョブの実行中に受け付けるジョブ設定選択受付部と、
前記ジョブ設定選択受付部によって受け付けられた前記選択指示に基づいて、前記選択されたジョブ設定を前記登録ジョブ設定として記憶する登録ジョブ設定記憶部と、
を有する
ことを特徴とするジョブ設定登録装置。
【請求項６】
さらに、表示部と、
前記ジョブ設定選択受付部が前記選択指示を受け付けるとき、ジョブ設定を選択するための選択情報を表示するように前記表示部を制御する表示制御部と、
を有する
ことを特徴とする請求項３乃至５のいずれか１項に記載のジョブ設定登録装置。
【請求項７】
前記複数のジョブのうち少なくとも１のジョブは、原稿を光学的に読み取るスキャン動作を伴うジョブであって、
前記表示制御部は、前記スキャン動作が実行される間、前記スキャン動作を伴う１のジョブのジョブ設定を登録するための登録ボタンを表示するように前記表示部を制御し、
前記ジョブ設定選択受付部は、前記登録ボタンが押下されることによって、前記選択指示を受け付ける
ことを特徴とする請求項２または６に記載のジョブ設定登録装置。
【請求項８】
前記複数のジョブのうち少なくとも１のジョブは、原稿を光学的に読み取るスキャン動作を伴うジョブであって、
前記ジョブ設定選択受付部は、少なくとも前記スキャン動作が完了してから前記スキャン動作を伴う１のジョブが完了するまでの間に、前記１のジョブに関する選択情報を表示するための表示指示を受け付け、
前記表示制御部は、前記表示指示に基づいて、前記１のジョブに関する選択情報を表示するように前記表示部を制御し、
前記登録ジョブ設定記憶部は、前記ジョブ設定選択受付部が、前記表示部によって表示された前記１のジョブに関する選択情報から前記１のジョブを選択する旨の選択指示を受け付けたとき、前記１のジョブのジョブ設定を前記登録ジョブ設定として記憶する
ことを特徴とする請求項１または６に記載のジョブ登録装置。
【請求項９】
前記登録ジョブ設定として登録されることが禁止されるジョブ設定か否かを判定し、禁止されると判定したジョブ設定を前記登録ジョブ設定として登録することを禁止するジョブ設定登録判定部をさらに有する
ことを特徴とする請求項１、２または４のいずれか１項に記載のジョブ設定登録装置。
【請求項１０】
前記表示制御部は、前記画像処理装置が新たなジョブを受け付け可能な状態であるときに、実行中のジョブのジョブ設定を前記登録ジョブ設定として登録することを促す旨を表示するように前記表示部を制御する
ことを特徴とする請求項１、２、６、８のいずれか１項に記載のジョブ設定登録装置。
【請求項１１】
前記登録ジョブ設定記憶部は、実行中のジョブのジョブ設定に対する前記選択指示を前記ジョブ設定選択受付部が受け付けていない状態で前記ジョブがバックグランドで実行されるとき、前記ジョブのジョブ設定を仮登録ジョブ設定として記憶し、
前記仮登録ジョブ設定として記憶されたジョブ設定を有するジョブが、前記記憶されてから所定期間経過前に、前記登録ジョブ設定記憶部から呼び出されることによって実行された場合、前記ジョブ設定を前記登録ジョブ設定として記憶し、
前記仮登録ジョブ設定として記憶されたジョブ設定が、前記所定期間経過前に、前記登録ジョブ設定記憶部から呼び出されることによって実行されなかった場合、前記ジョブ設定を消去する
ことを特徴とする請求項１、２、６乃至８のいずれか１項に記載のジョブ設定登録装置。
【請求項１２】
請求項１乃至１１のいずれか１項に記載のジョブ設定登録装置と、
複数のジョブを並行に実行可能なジョブ実行部と、
を有し、
前記ジョブ実行部は、前記登録ジョブ設定を前記登録ジョブ設定記憶部から呼び出すことで、前記登録ジョブ設定を再設定して、ジョブを実行する
ことを特徴とする画像処理装置。
【請求項１３】
前記ジョブ実行部は、原稿をスキャンすることによって取得された当該原稿の画像データに基づいて当該原稿をコピーするためのコピー機能と、外部の装置から送信された画像データに基づいて画像を印刷するための印刷機能と、原稿をスキャンすることによって取得された当該原稿の画像データを送信するためのファクシミリ機能のうち２以上の機能を有する
ことを特徴とする請求項１２に記載の画像処理装置。
【発明の詳細な説明】
【技術分野】
【０００１】
本発明は、実行中のジョブのジョブ設定を登録するジョブ設定登録装置および画像処理装置に関する。
【背景技術】
【０００２】
コピー機能などを有する画像処理装置においては、例えば、コピー倍率、用紙サイズ、コピー部数などのコピー条件をジョブ設定として設定し、このジョブ設定を有するジョブを実行することで、所望のコピー動作が行われる。
【０００３】
また、一度に１のジョブのみを実行する、所謂、シングルジョブのみ対応の画像処理装置の中には、ユーザによって頻繁に使用されるジョブ設定をジョブ実行毎に一から行う手間を省くために、ジョブ実行中に当該ジョブのジョブ設定を登録するものがある。この画像処理装置によれば、登録されたジョブ設定を呼び出すだけで、当該ジョブを実行することができる。また、実行中のジョブが１つのみなので、登録されるべきジョブ設定を容易に特定することができ、当該ジョブのジョブ設定を簡単な操作で登録することができる（例えば、特許文献１参照）。
【先行技術文献】
【特許文献】
【０００４】
【特許文献１】特開平１１−２４５１１号公報
【発明の概要】
【発明が解決しようとする課題】
【０００５】
近年、一度に複数のジョブを実行することができる、所謂、マルチジョブ対応の画像処理装置が主流となっている。このマルチジョブ対応の画像処理装置では、あるジョブが実行されている間に、他のジョブが入力され、実行されることが可能である。従って、マルチジョブ対応の画像処理装置では、実行中のジョブが複数存在する場合がある。シングルジョブのみ対応の画像処理装置で実行される上記ジョブ設定登録がそのままマルチジョブ対応の画像処理装置に採用されると、実行中のジョブが複数あるので、これら複数のジョブのジョブ設定から登録されるべきジョブ設定を容易に特定することができなかった。
【０００６】
また、マルチジョブ対応の画像処理装置では、複数のジョブのうちほとんどのジョブ（例えば、入力された複数のジョブのうち最新のジョブ以外）はバックグランドで実行されることが多い。しかしながら、上記のようなジョブ設定登録では、バックグランドで実行されているジョブのジョブ設定を登録ジョブ設定として登録することは想定されていない。従って、ジョブがバックグランドで実行されてしまうと、当該ジョブのジョブ設定を登録ジョブ設定として登録することはできなかった。
【０００７】
本発明は、複数のジョブが実行中であるときに、これら複数のジョブのそれぞれのジョブ設定の中から登録されるべきジョブ設定の選択指示を受け付け、この選択されたジョブ設定を登録するジョブ設定登録装置および画像処理装置を提供することを目的としている。
【課題を解決するための手段】
【０００８】
かかる目的を達成するための本発明の要旨とするところは、次の各項の発明に存する。
【０００９】
［１］表示部と、
所定の画像処理装置で並行に実行中の複数のジョブのジョブ設定の中から、呼び出して再設定可能な登録ジョブ設定として登録するジョブ設定を選択するための選択指示を受け付けるジョブ設定選択受付部と、
前記ジョブ設定選択受付部が前記選択指示を受け付けるとき、ジョブ設定を選択するための選択情報を表示するように前記表示部を制御する表示制御部と、
前記ジョブ設定選択受付部によって受け付けられた前記選択指示に基づいて、前記選択されたジョブ設定を前記登録ジョブ設定として記憶する登録ジョブ設定記憶部と、
を有し、
前記複数のジョブのうち少なくとも１のジョブは、原稿を光学的に読み取るスキャン動作を伴うジョブであって、
前記表示制御部は、前記スキャン動作が実行される間、前記スキャン動作を伴う１のジョブのジョブ設定を登録するための登録ボタンを表示するように前記表示部を制御し、
前記ジョブ設定選択受付部は、前記登録ボタンが押下されることによって、前記選択指示を受け付ける
ことを特徴とするジョブ設定登録装置。
【００１０】
上記発明では、ジョブ設定選択受付部が、実行中の複数のジョブのジョブ設定の中から、登録ジョブ設定として登録するジョブ設定を選択するための選択指示を受け付け、登録ジョブ設定記憶部が、前記選択指示に基づいて、前記選択されたジョブ設定を前記登録ジョブ設定として記憶する。これにより、ユーザは、これら実行中の複数のジョブのジョブ設定の中から登録されるべきジョブ設定を選択し、この選択されたジョブ設定を登録することができる。
［２］表示部と、
所定の画像処理装置で並行に実行中の複数のジョブのジョブ設定の中から、呼び出して再設定可能な登録ジョブ設定として登録するジョブ設定を選択するための選択指示を受け付けるジョブ設定選択受付部と、
前記ジョブ設定選択受付部が前記選択指示を受け付けるとき、ジョブ設定を選択するための選択情報を表示するように前記表示部を制御する表示制御部と、
前記ジョブ設定選択受付部によって受け付けられた前記選択指示に基づいて、前記選択されたジョブ設定を前記登録ジョブ設定として記憶する登録ジョブ設定記憶部と、
を有し、
前記複数のジョブのうち少なくとも１のジョブは、原稿を光学的に読み取るスキャン動作を伴うジョブであって、
前記ジョブ設定選択受付部は、少なくとも前記スキャン動作が完了してから前記スキャン動作を伴う１のジョブが完了するまでの間に、前記１のジョブに関する選択情報を表示するための表示指示を受け付け、
前記表示制御部は、前記表示指示に基づいて、前記１のジョブに関する選択情報を表示するように前記表示部を制御し、
前記登録ジョブ設定記憶部は、前記ジョブ設定選択受付部が、前記表示部によって表示された前記１のジョブに関する選択情報から前記１のジョブを選択する旨の選択指示を受け付けたとき、前記１のジョブのジョブ設定を前記登録ジョブ設定として記憶する
ことを特徴とするジョブ設定登録装置。
［３］所定の画像処理装置で並行に実行中の複数のジョブのジョブ設定の中から、呼び出して再設定可能な登録ジョブ設定として登録するジョブ設定を選択するための選択指示を受け付けるジョブ設定選択受付部と、
前記ジョブ設定選択受付部によって受け付けられた前記選択指示に基づいて、前記選択されたジョブ設定を前記登録ジョブ設定として記憶する登録ジョブ設定記憶部と、
前記登録ジョブ設定として登録されることが禁止されるジョブ設定か否かを判定し、禁止されると判定したジョブ設定を前記登録ジョブ設定として登録することを禁止するジョブ設定登録判定部と、
を有する
ことを特徴とするジョブ設定登録装置。
［４］所定の画像処理装置で並行に実行中の複数のジョブのジョブ設定の中から、呼び出して再設定可能な登録ジョブ設定として登録するジョブ設定を選択するための選択指示を受け付けるジョブ設定選択受付部と、
前記ジョブ設定選択受付部によって受け付けられた前記選択指示に基づいて、前記選択されたジョブ設定を前記登録ジョブ設定として記憶する登録ジョブ設定記憶部と、
を有し、
前記登録ジョブ設定記憶部は、実行中のジョブのジョブ設定に対する前記選択指示を前記ジョブ設定選択受付部が受け付けていない状態で前記ジョブがバックグランドで実行されるとき、前記ジョブのジョブ設定を仮登録ジョブ設定として記憶し、
前記仮登録ジョブ設定として記憶されたジョブ設定を有するジョブが、前記記憶されてから所定期間経過前に、前記登録ジョブ設定記憶部から呼び出されることによって実行された場合、前記ジョブ設定を前記登録ジョブ設定として記憶し、
前記仮登録ジョブ設定として記憶されたジョブ設定が、前記所定期間経過前に、前記登録ジョブ設定記憶部から呼び出されることによって実行されなかった場合、前記ジョブ設定を消去する
ことを特徴とするジョブ設定登録装置。
［５］所定の画像処理装置で並行に実行中の複数のジョブのジョブ設定の中から、呼び出して再設定可能な登録ジョブ設定として登録するジョブ設定を選択するための選択指示を、複数のジョブの実行中に受け付けるジョブ設定選択受付部と、
前記ジョブ設定選択受付部によって受け付けられた前記選択指示に基づいて、前記選択されたジョブ設定を前記登録ジョブ設定として記憶する登録ジョブ設定記憶部と、
を有する
ことを特徴とするジョブ設定登録装置。
【００１１】
［６］さらに、表示部と、
前記ジョブ設定選択受付部が前記選択指示を受け付けるとき、ジョブ設定を選択するための選択情報を表示するように前記表示部を制御する表示制御部と、
を有する
ことを特徴とする［３］乃至５のいずれか一項に記載のジョブ設定登録装置。
【００１２】
ここで、選択情報とは、ジョブの仮名称、ジョブ設定そのもの、実行状態など、ジョブ設定を選択するために、当該ジョブ設定を特定することができる情報のことを言う。
【００１３】
［７］前記複数のジョブのうち少なくとも１のジョブは、原稿を光学的に読み取るスキャン動作を伴うジョブであって、
前記表示制御部は、前記スキャン動作が実行される間、前記スキャン動作を伴う１のジョブのジョブ設定を登録するための登録ボタンを表示するように前記表示部を制御し、
前記ジョブ設定選択受付部は、前記登録ボタンが押下されることによって、前記選択指示を受け付ける
ことを特徴とする［２］または［６］に記載のジョブ設定登録装置。
【００１４】
上記発明では、実行中のジョブが原稿のスキャン動作を伴うジョブである場合、このスキャン動作中に、表示部に当該ジョブのジョブ設定を登録ジョブ設定として登録するための登録ボタンが表示され、この登録ボタンを押下することにより、当該ジョブ設定が登録される。これにより、スキャン動作中のジョブのジョブ設定を簡単な操作で登録ジョブ設定として登録することができる。
【００１５】
スキャン動作を伴うジョブとは、例えば、原稿をスキャンすることによって当該原稿の画像データを取得し、その画像データに基づいて当該原稿をコピーするためのジョブなど、実行中に原稿のスキャン動作を必要とするジョブのことである。
【００１６】
［８］前記複数のジョブのうち少なくとも１のジョブは、原稿を光学的に読み取るスキャン動作を伴うジョブであって、
前記ジョブ設定選択受付部は、少なくとも前記スキャン動作が完了してから前記スキャン動作を伴う１のジョブが完了するまでの間に、前記１のジョブに関する選択情報を表示するための表示指示を受け付け、
前記表示制御部は、前記表示指示に基づいて、前記１のジョブに関する選択情報を表示するように前記表示部を制御し、
前記登録ジョブ設定記憶部は、前記ジョブ設定選択受付部が、前記表示部によって表示された前記１のジョブに関する選択情報から前記１のジョブを選択する旨の選択指示を受け付けたとき、前記１のジョブのジョブ設定を前記登録ジョブ設定として記憶する
ことを特徴とする［１］または［６］に記載のジョブ設定登録装置。
【００１７】
上記発明では、実行中のジョブがスキャン動作を伴うジョブである場合、このスキャン動作が完了してから当該ジョブが完了するまでの間に、このジョブに関する選択情報を表示部に表示させ、表示された選択情報から当該ジョブを選択することにより、当該ジョブのジョブ設定が登録ジョブ設定として登録される。これにより、スキャン動作が完了し、その後の動作がバックグランドで実行されているジョブのジョブ設定を登録ジョブ設定として登録することができる。
【００１８】
［９］前記登録ジョブ設定として登録されることが禁止されるジョブ設定か否かを判定し、禁止されると判定したジョブ設定を前記登録ジョブ設定として登録することを禁止するジョブ設定登録判定部をさらに有する
ことを特徴とする［１］、［２］または［４］のいずれか１項に記載のジョブ設定登録装置。
【００１９】
［１０］前記表示制御部は、前記画像処理装置が新たなジョブを受け付け可能な状態であるときに、実行中のジョブのジョブ設定を前記登録ジョブ設定として登録することを促す旨を表示するように前記表示部を制御する
ことを特徴とする［１］、［２］、［６］、［８］のいずれか１項に記載のジョブ設定登録装置。
【００２０】
［１１］前記登録ジョブ設定記憶部は、実行中のジョブのジョブ設定に対する前記選択指示を前記ジョブ設定選択受付部が受け付けていない状態で前記ジョブがバックグランドで実行されるとき、前記ジョブのジョブ設定を仮登録ジョブ設定として記憶し、
前記仮登録ジョブ設定として記憶されたジョブ設定を有するジョブが、前記記憶されてから所定期間経過前に、前記登録ジョブ設定記憶部から呼び出されることによって実行された場合、前記ジョブ設定を前記登録ジョブ設定として記憶し、
前記仮登録ジョブ設定として記憶されたジョブ設定が、前記所定期間経過前に、前記登録ジョブ設定記憶部から呼び出されることによって実行されなかった場合、前記ジョブ設定を消去する
ことを特徴とする［１］、［２］、［６］乃至［８］のいずれか１項に記載のジョブ設定登録装置。
【００２１】
［１２］［１］乃至［１１］のいずれか１項に記載のジョブ設定登録装置と、
複数のジョブを並行に実行可能なジョブ実行部と、
を有し、
前記ジョブ実行部は、前記登録ジョブ設定を前記登録ジョブ設定記憶部から呼び出すことで、前記登録ジョブ設定を再設定して、ジョブを実行する
ことを特徴とする画像処理装置。
【００２２】
上記発明では、マルチジョブ対応の画像処理装置においても、ユーザは、同一のジョブが実行されるごとに一から当該ジョブ設定を行う手間を省くことができる。
【００２３】
［１３］前記ジョブ実行部は、原稿をスキャンすることによって取得された当該原稿の画像データに基づいて当該原稿をコピーするためのコピー機能と、外部の装置から送信された画像データに基づいて画像を印刷するための印刷機能と、原稿をスキャンすることによって取得された当該原稿の画像データを送信するためのファクシミリ機能のうち２以上の機能を有する
ことを特徴とする［１２］に記載の画像処理装置。
【発明の効果】
【００２４】
本発明に係るジョブ設定登録装置および画像処理装置によれば、複数のジョブが実行中であるときに、これら複数のジョブのそれぞれのジョブ設定の中から登録されるべきジョブ設定の選択指示を受け付け、この選択されたジョブ設定を登録することができる。
【図面の簡単な説明】
【００２５】
【図１】本発明の実施の形態に係る画像処理装置の概略構成を示すブロック図である。
【図２】画像処理装置において実行中のジョブのジョブ設定を登録するためのジョブ設定登録操作に関するフローチャートである。
【図３】入力ジョブのジョブ設定が登録ジョブ設定として登録されるまでの操作表示部に表示される表示画面の変化を示す説明図である。
【図４】入力ジョブのジョブ設定が登録ジョブ設定として登録されるまでの操作表示部に表示される表示画面の変化を示す説明図である。
【図５】入力ジョブのジョブ設定がすでに登録済みである場合の操作表示部に表示される表示画面の変化を示す説明図である。
【図６】画像処理装置に入力されるジョブ「Ｊｏｂ１」から「Ｊｏｂ４」までのそれぞれの状態（ステータス）を時系列で示したタイムチャートである。
【図７】ジョブ「Ｊｏｂ１」が実行中であるときに、ジョブ「Ｊｏｂ２」が画像処理装置に入力され、ジョブ「Ｊｏｂ２」のジョブ設定が登録ジョブ設定として登録される場合における操作表示部に表示される表示画面の変化を示す説明図である。
【図８】ジョブ「Ｊｏｂ２」およびジョブ「Ｊｏｂ３」が実行中である場合のジョブに関する選択情報のリストを示す画面例である。
【図９】ジョブ「Ｊｏｂ３」およびジョブ「Ｊｏｂ４」が実行中である場合のジョブに関する選択情報のリストを示す画面例である。
【図１０】登録ジョブ設定として登録されるべきジョブ設定の登録名およびアイコンの設定操作に関するフローチャートである。
【図１１】（ａ）は、登録されるべきジョブ設定の登録名およびアイコンを設定するための画面例であり、（ｂ）は、ジョブ設定で使用されるパラメータと、当該パラメータに対応する登録名候補およびアイコン候補を表す表である。
【図１２】登録ジョブ設定を呼び出すことで再設定するためのプログラムボタンの表示位置を設定するためのプログラムボタン表示位置設定に関するフローチャートである。
【図１３】新規のプログラムボタンが追加される前と追加された後の操作表示部に表示される表示画面を示す説明図である。
【図１４】通常モードとプログラムボタン編集モードとの間の移行を示す説明図である。
【図１５】登録ジョブ設定を呼び出すことで再設定するためのプログラムボタンを削除するプログラムボタン削除処理に関するフローチャートである。
【図１６】プログラムボタン編集モードでプログラムボタンが削除されるまでの操作表示部に表示される表示画面の変化を示す説明図である。
【図１７】登録ジョブ設定に対応するプログラムボタンを押下することによって登録ジョブ設定を呼び出して再設定し、ジョブを実行するためのジョブ実行操作に関するフローチャートである。
【図１８】ジョブ実行操作によってジョブが実行される場合の操作表示部に表示される表示画面の変化を示す説明図である。
【図１９】変形例１に係る、ジョブ「Ｊｏｂ１」が実行中であるときに操作表示部に表示される表示画面の変化を示す説明図である。
【図２０】変形例２に係る、ジョブ「Ｊｏｂ１」が実行中であるときに、ジョブ「Ｊｏｂ２」が画像処理装置に入力される場合における操作表示部に表示される表示画面の変化を示す説明図である。
【図２１】変形例３に係る、ジョブ「Ｊｏｂ１」のジョブ設定が仮登録されるときに操作表示部に表示される表示画面の変化を示す説明図である。
【発明を実施するための形態】
【００２６】
以下、図面に基づき本発明の実施の形態を説明する。
【００２７】
図１は、本発明の実施の形態に係る画像処理装置（ＭＦＰ）１の概略構成を示すブロック図である。画像処理装置１は、この画像処理装置１の動作を統括的に制御するＣＰＵ(Central Processing Unit)１０と、このＣＰＵ１０に接続されたＲＯＭ(Read Only Memory)１１と、ＲＡＭ(Random Access Memory)１２と、画像読取部１３と、プリンタ部１４と、画像処理部１５と、不揮発メモリ１６と、自動原稿搬送部（ＡＤＦ）１７と、ファクシミリ通信部１８と、ネットワーク通信部１９と、操作表示部２０とを備えている。
【００２８】
ＣＰＵ１０は、ＯＳ(Operating System)プログラムをベースとし、その上で、ミドルウェアやアプリケーションプログラムなどを実行する。また、ＣＰＵ１０は、後述する画像処理装置１において実行中のジョブのジョブ設定を登録するためのジョブ設定登録操作に関する制御を実行する。
【００２９】
ＲＯＭ１１には、各種のプログラムが格納されており、これらのプログラムに従ってＣＰＵ１０が各種処理を実行することで画像処理装置１の各機能が実現される。また、ＲＯＭ１１には、後述する実行中のジョブのジョブ設定を登録するためのジョブ設定登録操作に関する制御を実行するためのプログラムが格納される。
【００３０】
ＲＡＭ１２は、ＣＰＵ１０がプログラムに基づいて処理を実行する際に各種のデータを一時的に格納するワークメモリや画像データを格納する画像メモリなどとして使用される。
【００３１】
画像読取部１３は、原稿を光学的に読み取って画像データを取得する機能、すなわち、スキャン機能を果たす。画像読取部１３は、例えば、原稿に光を照射する光源と、その反射光を受けて原稿を幅方向に１ライン分読み取るラインイメージセンサと、ライン単位の読取位置を原稿の長さ方向に順次移動させる移動ユニットと、原稿からの反射光をラインイメージセンサに導いて結像させるレンズやミラーなどからなる光学経路と、ラインイメージセンサの出力するアナログ画像信号をデジタルの画像データに変換する変換部などを備える。
【００３２】
プリンタ部１４は、画像データに応じた画像を記録紙上に画像形成する機能、すなわち、印刷機能を果たす。ここでは、記録紙の搬送装置と、感光体ドラムと、帯電装置と、レーザーユニットと、現像装置と、転写分離装置と、クリーニング装置と、定着装置とを有し、電子写真プロセスによって画像形成を行う、所謂、レーザープリンタとして構成されている。画像形成は他の方式でもかまわない。
【００３３】
画像処理部１５は、画像の拡大縮小、回転などの処理のほか、印刷データをイメージデータに変換するラスタライズ処理、画像データの圧縮、伸張処理などを行う。
【００３４】
不揮発メモリ１６は、電源をオフにしても記憶内容が破壊されないメモリ（フラッシュメモリ）であり、各種設定情報の記憶などに使用される。また、不揮発メモリ１６に、実行中のジョブのジョブ設定が登録ジョブ設定として登録される場合、このジョブ設定が記憶される。
【００３５】
自動原稿搬送部（ＡＤＦ）１７は、原稿台にセットされた原稿をその最上のものから１枚ずつ順に繰り出して搬送し、画像読取部１３の読み取り位置を通過させて所定の排紙位置へ排紙する機能を果たす。
【００３６】
ファクシミリ通信部１８は、ファクシミリ機能を備えた外部装置と公衆回線を通じて画像データを送受信する。
【００３７】
ネットワーク通信部１９は、ＬＡＮ(Local Area Network)などのネットワークを通じて端末装置やその他の外部装置との間でデータを通信する。
【００３８】
操作表示部２０は、ディスプレイ部２０ａと、タッチセンサ部２０ｂとを備える。ディスプレイ部２０ａは、液晶ディスプレイ（ＬＣＤ…Liquid Crystal Display）などで構成され、各種の操作画面、設定画面などを表示する機能を果たす。また、ディスプレイ部２０ａには、画像処理装置１にジョブを入力し、当該ジョブのジョブ設定を登録するための設定画面を表示する。
【００３９】
タッチセンサ部２０ｂは、ディスプレイ部２０ａの画面上に設けられており、タッチペンや指などで画面を押下することにより画像処理装置１にジョブ設定をし、登録するためのタッチパネルなどを備える。また、操作表示部２０は、その他、画像処理装置１に対する操作入力のためのハードキーなどを有する。
【００４０】
図２は、画像処理装置１において実行中のジョブのジョブ設定を登録するためのジョブ設定登録操作に関するフローチャートである。このフローチャートには、主に、登録ジョブ設定として登録されるジョブ設定がスキャン動作を伴うジョブのジョブ設定である場合についてのジョブ設定登録操作が示されている。スキャン動作を伴うジョブとは、例えば、原稿をスキャンすることによって当該原稿の画像データを取得し、その画像データに基づいて当該原稿をコピーするためのジョブなど、実行中に原稿のスキャン動作を必要とするジョブのことである。
【００４１】
登録ジョブ設定とは、不揮発メモリ１６等に記憶されたジョブ設定であって、この記憶されたジョブが不揮発メモリ１６等から呼び出されることによって再設定されることが可能なジョブ設定をいう。
【００４２】
まず、ジョブが画像処理装置１に入力されるとき、ＣＰＵ１０は、入力されたジョブのジョブ設定が、登録ジョブ設定として登録されることが可能なジョブ設定であるか、あるいは、登録ジョブ設定として登録されることが禁止されているジョブ設定かを判断する（ステップＳ１０１）。画像処理装置１に入力されるジョブには、操作表示部２０から入力されるジョブや、あるいは、外部のＰＣ等からネットワーク通信部１９を介して入力されるジョブなどがある。
【００４３】
ＣＰＵ１０は、入力されたジョブの設定が登録ジョブ設定として登録されることが禁止されるジョブ設定であると判断した場合（ステップＳ１０１；Ｎｏ）、ディスプレイ部２０ａには、このジョブ設定を登録ジョブ設定として登録することはできないという旨が表示される（ステップＳ１０２）。その後、このジョブ設定についてのジョブ設定登録操作に関する制御は終了する。
【００４４】
登録ジョブ設定として登録されることが禁止されるジョブ設定としては、例えば、外部のＰＣ等から送信された文書データ等の印刷に関するジョブのジョブ設定などのように、外部の装置からネットワーク通信部１９を介して入力されたジョブのジョブ設定などがある。外部の装置から入力されたジョブのジョブ設定は、操作表示部２０から入力されたジョブのジョブ設定と異なり、外部の装置独自のパラメータを使用していることが多い。外部の装置から入力されたジョブのジョブ設定が不揮発メモリ１６に記憶されても、通常、画像処理装置１は当該ジョブのパラメータを使用することができないので、外部の装置から入力されたジョブの設定が登録ジョブ設定として登録されることが禁止されている。
【００４５】
入力されたジョブのジョブ設定が登録ジョブ設定として登録されることが可能であるジョブ設定であるとＣＰＵ１０が判断した場合（ステップＳ１０１；Ｙｅｓ）、ＣＰＵ１０は、当該ジョブ設定がすでに不揮発メモリ１６に記憶されているか、すなわち、当該ジョブ設定が登録ジョブ設定として登録済みであるか否かを判断する（ステップＳ１０３）。
【００４６】
当該ジョブ設定が登録ジョブ設定として登録済みであるとＣＰＵ１０が判断した場合（ステップＳ１０３；Ｙｅｓ）、このジョブ設定は登録ジョブ設定として登録済みである旨のメッセージがディスプレイ部２０ａに表示される（ステップＳ１０４）。その後、このジョブ設定についてのジョブ設定登録操作に関する制御は終了する。
【００４７】
また、ジョブ設定が登録ジョブ設定として登録されていないとＣＰＵ１０が判断した場合（ステップＳ１０３；Ｎｏ）、ステップＳ１０５へ進む。ステップＳ１０５では、画像処理装置１に入力されたジョブがスキャン動作を伴うジョブである場合、ＣＰＵ１０は、このスキャン動作が完了しているか否かを判断する。
【００４８】
スキャン動作が完了していないとＣＰＵ１０が判断した場合（ステップＳ１０５；Ｎｏ）、ディスプレイ部２０ａには、このスキャン動作が実行中である旨のメッセージが表示され、さらに、このスキャン動作を伴うジョブのジョブ設定を登録ジョブ設定として登録することを促す旨が表示される（ステップＳ１０７）。このとき、このスキャン動作を伴うジョブのジョブ設定を登録するためのジョブ設定登録ボタン３６（図３（ｃ）参照）がディスプレイ部２０ａに表示される。このとき、タッチセンサ部２０ｂは、ジョブ設定登録ボタン３６が押下されることによって、当該ジョブ設定を登録ジョブ設定として登録する旨のユーザからの指示を受け付ける。
【００４９】
タッチセンサ部２０ｂがこのジョブ設定登録ボタン３６の押下を検出したとＣＰＵ１０が判断した場合（ステップＳ１０８；Ｙｅｓ）、このジョブ設定の登録名、アイコンなどが設定され、当該ジョブ設定が、このジョブ設定の登録名やアイコンなどの関連登録情報とともに不揮発メモリ１６に記憶される（ステップＳ１０９）。このことにより、このジョブ設定が登録ジョブ設定として登録され、このジョブ設定についてのジョブ設定登録操作に関する制御は終了する。
【００５０】
タッチセンサ部２０ｂがジョブ設定登録ボタン３６の押下を検出しないとＣＰＵ１０が判断する場合（ステップＳ１０８；Ｎｏ）、再びステップＳ１０５へ戻る。そして、このスキャン動作が完了するまで、ディスプレイ部２０ａには、このスキャン動作が実行中である旨のメッセージが表示され、さらに、このスキャン動作を伴うジョブのジョブ設定を登録ジョブ設定として登録することを促す旨が表示される（ステップＳ１０７）。さらに、ＣＰＵ１０は、ジョブ設定登録ボタン３６が押下されたか否かを監視する。
【００５１】
ジョブ設定が登録されない状態で、スキャン動作が完了した場合（ステップＳ１０５；Ｙｅｓ）、ディスプレイ部２０ａでは、スキャン動作が実行中である旨のメッセージが消え、新たなジョブを入力するための画面に戻る（ステップＳ１０６）。このとき、スキャン動作が完了したジョブについては、バックグランドで、例えば、当該スキャン動作によって取得された画像データに基づいて画像を印刷する印刷動作などが実行される。
【００５２】
新たなジョブを入力するための画面に戻ると、タッチセンサ部２０ｂがバックグランドで実行されているジョブを表示するためのリストボタン４０（図４（ｃ）参照）の押下を検出したか否かをＣＰＵ１０が判断する（ステップＳ１１０）。このとき、タッチセンサ部２０ｂは、リストボタン４０が押下されることによって、バックグランドで実行されているジョブに関する情報を表示する旨のユーザからの指示を受け付ける。
【００５３】
タッチセンサ部２０ｂがリストボタン４０の押下を検出していないとＣＰＵ１０が判断すると（ステップＳ１１０；Ｎｏ）、バックグランドで実行されているジョブが完了したか否かをＣＰＵ１０が判断する（ステップＳ１１２）。当該ジョブが完了していないことをＣＰＵ１０が判断すると（ステップＳ１１２；Ｎｏ）、再びステップＳ１１０へ戻り、当該ジョブが完了するまで、ＣＰＵ１０は、リストボタン４０が押下されたか否かを監視する。
【００５４】
タッチセンサ部２０ｂがリストボタン４０の押下を検出せずにバックグランドで実行されているジョブが完了すると（ステップＳ１１２；Ｙｅｓ）、このジョブのジョブ設定が登録ジョブ設定として登録されずに、このジョブ設定についてのジョブ設定登録操作に関する制御は終了する。
【００５５】
また、バックグランドで実行されているジョブが完了する前に、タッチセンサ部２０ｂがリストボタン４０の押下を検出したとＣＰＵ１０が判断すると（ステップＳ１１０；Ｙｅｓ）、ディスプレイ部２０ａに実行中のジョブに関する選択情報がリストとして表示され、さらに、この実行中のジョブのジョブ設定を登録ジョブ設定として登録することを促す旨が表示される（ステップＳ１１１）。このとき、タッチセンサ部２０ｂは、バックグランドで実行されているジョブの設定を登録ジョブ設定として登録するために当該ジョブに関する選択情報の選択を受け付ける。
【００５６】
タッチセンサ部２０ｂがこのリストに表示されている選択情報の選択を検出したことをＣＰＵ１０が判断すると（ステップＳ１１３；Ｙｅｓ）、ステップＳ１０９へ進む。このとき、登録されるジョブ設定の登録名、アイコンなどが設定され、当該ジョブ設定が、このジョブ設定の登録名やアイコンなどの関連登録情報とともに不揮発メモリ１６に記憶される。このことにより、このジョブ設定が登録ジョブ設定として登録され、このジョブ設定についてのジョブ設定登録操作に関する制御は終了する。
【００５７】
タッチセンサ部２０ｂがリストに表示されている選択情報の選択を検出していないことをＣＰＵ１０が判断する場合（ステップＳ１１３；Ｎｏ）、当該ジョブが完了したか否かをＣＰＵ１０が判断する（ステップＳ１１４）。当該ジョブが完了していないことをＣＰＵ１０が判断すると（ステップＳ１１４；Ｎｏ）、再びステップＳ１１３へ戻り、当該ジョブが完了するまで、タッチセンサ部２０ｂは、バックグランドで実行されているジョブに関する選択情報の選択を受け付ける。
【００５８】
また、リストに表示されているジョブのジョブ設定が登録されずに当該ジョブが完了すると（ステップＳ１１４；Ｙｅｓ）、このジョブ設定が登録ジョブ設定として登録されずに、このジョブ設定についてのジョブ設定登録操作に関する制御は終了する。
【００５９】
図３（ａ）から（ｆ）は、入力ジョブのジョブ設定が登録ジョブ設定として登録されるまでのディスプレイ部２０ａに表示される表示画面の変化を示す説明図である。具体的には、図３（ａ）から（ｆ）では、原稿をスキャンすることによって当該原稿の画像データを取得し、この画像データに基づいて当該原稿をコピーするためのジョブのジョブ設定が、当該原稿のスキャン動作中に登録ジョブ設定として登録される場合の表示画面の変化が示されている。
【００６０】
図３（ａ）では、画像処理装置１の各種機能（コピー機能、ファクシミリ機能など）のうち、入力されるべきジョブを実行するために利用される１の機能を選択するための表示画面（ホーム画面）が示されている。この表示画面には、ディスプレイ部２０ａの表示画面をホーム画面に戻すためのホームボタン２９、メッセージ欄３０、リストボタン４０、さまざまなファンクションボタンなどが表示されている。メッセージ欄３０には、ファンクションボタンを選択する旨のメッセージが表示されている。ファンクションボタンには、コピーボタン３１、ファックスボタン３２、メールボタン３３、フォルダーボタン３４があり、これらのボタンのうち１のボタンを押下することによって、押下されたボタンに対応する機能が利用される。
【００６１】
コピーボタン３１が押下されると、図３（ｂ）のように、コピーに関するジョブを入力するための画面が表示される。この画面には、カラー設定ボタン３１ａ、記録紙サイズ設定ボタン３１ｂ、倍率設定ボタン３１ｃ、片面・両面設定ボタン３１ｄなど、コピーに関する各種設定ボタンが表示される。この画面を通じて、コピーに関するジョブの各種パラメータが、上記各種設定ボタンを使用することによって設定される。図３（ｂ）では、両面印刷された２枚の原稿がコピーされるときに、コピー部数１００、２Ｉｎ１（２ページ分の画像データを１枚の記録紙に印刷することを意味する）、２→１（両面印刷された原稿を記録紙の片面に印刷することを意味する）がパラメータとしてユーザによって設定される。残りのパラメータについては、画像処理装置１で予め設定されたデフォルト値（例えば、Ａ４サイズの記録紙への印刷、等倍印刷など）が使用される。
【００６２】
図３（ｂ）に示された画面でジョブのさまざまなパラメータが設定され、画像処理装置１の原稿台に原稿がセットされた状態で、スタートボタン３５が押下されると、画像読取部１３による原稿のスキャン動作が開始され、図３（ｃ）のような画面が表示される。
【００６３】
図３（ｃ）に示される画面では、原稿のスキャン動作が実行中である旨のメッセージがメッセージ欄３０に表示される。さらに、図３（ｃ）の画面では、図３（ｂ）の画面で設定されたジョブ設定を登録ジョブ設定として登録するためのジョブ設定登録ボタン３６が表示される。このジョブ設定登録ボタン３６には、このボタン３６を押下することによって登録されるジョブ設定は最新のジョブ設定(current setting)である旨のメッセージなど、このボタン３６を押下することによって登録されるジョブ設定を特定するための情報、すなわち、ジョブ設定に関する情報が表示されている。また、ジョブ設定登録ボタン３６は、ユーザに、当該ジョブ設定を登録ジョブ設定として登録することを促す役割を果たす。当該ジョブ設定を登録ジョブ設定として登録するために、このジョブ設定登録ボタン３６が、スキャン動作が実行されている間に押下されると、図３（ｄ）のような画面が表示される。
【００６４】
図３（ｄ）には、登録されるべきジョブ設定の登録名およびアイコンを設定するための表示画面が示されている。登録されるべきジョブ設定の登録名については、通常、当該ジョブ設定を連想させるような名称などが登録名として設定される。例えば、ジョブ入力時に、２Ｉｎ１や２→１がパラメータとして設定された場合、図３（ｄ）のように、当該ジョブ設定の登録名が「２Ｉｎ１  ２−Ｓｉｄｅｄ」と設定されてもよい。また、アイコンは任意に設定されてもよい。しかしながら、ユーザ別にアイコンが設定されると、それぞれ登録されたジョブ設定がどのユーザによって設定されたものなのかを簡単に認識することができる。図３（ｄ）に示された画面のＯＫボタン３７が押下されることによって、ジョブ設定の登録名およびアイコンが決定されると、図３（ｅ）のような画面が表示される。
【００６５】
図３（ｅ）に示された画面では、図３（ｂ）の画面で設定されたジョブ設定が、図３（ｄ）の画面で設定された当該ジョブ設定の登録名およびアイコンとともに、登録ジョブ設定として登録された旨のメッセージが表示される。ジョブ設定が登録されたことが確認された上で、図３（ｅ）に示された画面のＯＫボタン３８が押下されると、図３（ｂ）の画面が表示される。
【００６６】
さらに、図３（ｂ）の画面に表示されているホームボタン２９が押下されると、図３（ｆ）に示されているホーム画面が表示される。
【００６７】
図３（ｆ）の画面では、図３（ａ）で表示された各種ボタンの他に、一連のジョブ設定登録操作によって登録された登録ジョブ設定を呼び出すことで再設定するためのプログラムボタン３９が追加される。このプログラムボタン３９には、図３（ｄ）の画面で設定された登録名やアイコンが表示されている。
【００６８】
ジョブ設定が登録ジョブ設定として登録された後、再び同一のジョブ設定を有するジョブが実行されるときにユーザがこのプログラムボタン３９を押下することによって、登録ジョブ設定が不揮発メモリ１６から呼び出される。このことにより、同一のジョブが実行されるごとに、ユーザが一から当該ジョブ設定を行う手間を省くことができる。
【００６９】
図４（ａ）から（ｆ）は、入力ジョブのジョブ設定が登録ジョブ設定として登録されるまでのディスプレイ部２０ａに表示される表示画面の変化を示す説明図である。具体的には、図４（ａ）から（ｆ）では、原稿をスキャンすることによって当該原稿の画像データを取得し、この画像データに基づいて当該原稿をコピーするためのジョブのジョブ設定が登録ジョブ設定として登録される場合の表示画面の変化であって、この原稿のスキャン動作完了後で、ジョブ完了前に当該ジョブの設定が登録される場合における表示画面の変化が示されている。
【００７０】
図４（ａ）では、コピーに関するジョブを入力するための画面が示されている。図４（ｂ）に示される画面では、原稿のスキャン動作中に、入力されたジョブのジョブ設定を登録ジョブ設定として登録するためのジョブ設定登録ボタン３６が表示される。なお、図４（ａ）の画面に入力されたジョブは、図３（ｂ）の画面に入力されたジョブと同一である。図４（ａ）および図４（ｂ）は、図３（ｂ）および図３（ｃ）とそれぞれ同一である。また、図４（ａ）および図４（ｂ）に関する説明も、図３（ｂ）および図３（ｃ）に関するものと同一であるので、図４（ａ）および図４（ｂ）に関する詳細な説明を省略する。
【００７１】
図４（ｂ）の画面にジョブ設定登録ボタン３６が表示された状態で、ジョブ設定登録ボタン３６が押下されずに原稿のスキャン動作が完了した場合、図４（ｃ）のように新たなコピーに関するジョブを入力するための画面が表示される。このとき、スキャン動作が完了したジョブについては、バックグランドで印刷動作などが実行されている。
【００７２】
このジョブがバックグランドで実行されている状態で、図４（ｃ）の画面に表示されているリストボタン４０が押下されると、図４（ｄ）に示される表示画面が表示される。
【００７３】
図４（ｄ）の画面では、画像処理装置１において実行中のジョブに関する選択情報がリストとして表示される。このリストでは、実行中のジョブの仮名称、状態（ステイタス）などの情報が表示される。さらに、実行中のジョブのジョブ設定が登録ジョブ設定として登録可能か否かについて表示される。図４（ｄ）のリストに表示されているジョブに関する選択情報については、ジョブの仮名称が「Ｊｏｂ１」であり、現在のジョブの状態が印刷動作中(Printing)である。ジョブ設定の登録可否については、当該ジョブ設定は登録可能(Yes)である。また、図４（ｄ）の画面中のメッセージ欄３０には、実行中のジョブのジョブ設定を登録ジョブ設定として登録するために、リストに表示されているジョブに関する選択情報を選択することを促す旨のメッセージが表示される。図４（ｄ）の画面でジョブ「Ｊｏｂ１」が選択されると、図４（ｅ）に示される表示画面が表示される。
【００７４】
図４（ｅ）では、図３（ｃ）と同様に、ジョブ「Ｊｏｂ１」のジョブ設定を登録ジョブ設定として登録するためのジョブ設定登録ボタン３６が表示される。このジョブ設定登録ボタン３６が、ジョブ「Ｊｏｂ１」が実行されている間に押下されると、図４（ｆ）のような画面が表示される。
【００７５】
図４（ｆ）は、登録ジョブ設定の登録名およびアイコンを設定するための表示画面が示されている。図４（ｆ）は、図３（ｄ）とほぼ同様である。また、図４（ｆ）に関する説明も、図３（ｄ）に関するものと同一であるので、図４（ｆ）に関する詳細な説明を省略する。
【００７６】
ジョブ設定の登録名およびアイコンとともにジョブ設定が登録された後、ホームボタン２９を押下することによりホーム画面がディスプレイ部２０ａに表示されると、図３（ｆ）と同様に、一連のジョブ設定登録操作によって登録された登録ジョブ設定を呼び出して再設定するためのプログラムボタン３９がホーム画面に追加される。
【００７７】
このように、ジョブがバックグランドで実行されることになっても、当該ジョブのジョブ設定を登録ジョブ設定として登録することができる。
【００７８】
図５（ａ）から（ｃ）は、入力ジョブのジョブ設定がすでに登録済みである場合のディスプレイ部２０ａに表示される表示画面の変化を示す説明図である。具体的には、図５（ａ）から（ｃ）では、原稿をスキャンすることによって当該原稿の画像データを取得し、この画像データに基づいて当該原稿をコピーするためのジョブのジョブ設定が、すでに登録ジョブ設定として登録済みである場合の表示画面の変化が示されている。
【００７９】
図５（ａ）では、画像処理装置１の各種機能（コピー機能、ファクシミリ機能など）のうち、入力されるべきジョブを実行するために利用される１の機能を選択するための表示画面（ホーム画面）が示されている。図５（ｂ）では、コピーに関するジョブを入力するための画面が示されている。なお、図５（ｂ）の画面に入力されたジョブについては、図３（ｂ）の画面で入力されたジョブと同一である。図５（ａ）および図５（ｂ）は、図３（ａ）および図３（ｂ）とそれぞれ同一である。また、図５（ａ）および図５（ｂ）に関する説明も、図３（ｂ）および図３（ｃ）に関するものと同一であるので、図５（ａ）および図５（ｂ）に関する詳細な説明を省略する。
【００８０】
図５（ｂ）の画面に入力されたジョブのジョブ設定が、すでに登録ジョブ設定として登録されている場合、すなわち、図５（ｂ）の画面で設定されたジョブのパラメータが、登録ジョブ設定として不揮発メモリ１６に記憶されている何れかのジョブ設定の各パラメータと完全に同一である場合、図５（ｃ）のような画面が表示される。
【００８１】
図５（ｃ）では、メッセージ欄５０に、実行中のジョブのジョブ設定はすでに登録ジョブ設定として登録済みである旨のメッセージが表示される。その後、ディスプレイ部２０ａには、図５（ｂ）のようなコピーに関するジョブを入力するための画面や、図５（ａ）のようなホーム画面などが表示され、この実行中のジョブのジョブ設定についてのジョブ設定登録操作に関する制御は終了する。
【００８２】
次に、画像処理装置１において１以上のジョブが実行中であるときに、他のジョブが画像処理装置１に入力される場合のジョブ登録操作について説明する。
【００８３】
図６は、画像処理装置１に入力されるジョブ「Ｊｏｂ１」から「Ｊｏｂ４」までのそれぞれの状態（ステータス）を時系列で示したタイムチャートである。後述する複数の実行中のジョブの中から１以上のジョブのジョブ設定を登録ジョブ設定として登録するためのジョブ設定登録操作に関する説明の中で、画像処理装置１に入力されるジョブの例として、図６に示されたジョブ「Ｊｏｂ１」から「Ｊｏｂ４」が使用される。
【００８４】
ジョブ「Ｊｏｂ１」は、コピーに関するジョブである。このジョブについては、両面印刷された２枚の原稿がコピーされるときに、パラメータとして、コピー部数１００、２Ｉｎ１（２ページ分の画像データを１枚の記録紙に印刷することを意味する）、２→１（両面印刷された原稿を記録紙の片面に印刷することを意味する）が、ユーザによって操作表示部２０で設定される。残りのパラメータについては、画像処理装置１で予め設定されたデフォルト値が使用される。また、ジョブ「Ｊｏｂ１」のジョブ設定は、登録ジョブ設定として登録されることが可能である。
【００８５】
ジョブ「Ｊｏｂ２」は、コピーに関するジョブである。このジョブについては、片面印刷された１０枚の原稿がコピーされるとき、パラメータとして、コピー部数２０がユーザによって操作表示部２０で設定される。残りのパラメータについては、画像処理装置１で予め設定されたデフォルト値が使用される。また、ジョブ「Ｊｏｂ２」のジョブ設定は、登録ジョブ設定として登録されることが可能である。
【００８６】
ジョブ「Ｊｏｂ３」は、外部のＰＣから送信された文書データの印刷に関するジョブである。このジョブについては、１０ページ分の文書データが印刷されるとき、パラメータとして、印刷部数２０がユーザによって外部のＰＣで設定される。残りのパラメータについては、外部のＰＣで予め設定されたデフォルト値が使用される。また、ジョブ「Ｊｏｂ３」は、外部のＰＣで入力されたジョブであるので、ジョブ「Ｊｏｂ３」のジョブ設定は、登録ジョブ設定として登録されることが禁止されているジョブ設定である。
【００８７】
ジョブ「Ｊｏｂ４」は、ファクシミリ通信に関するジョブである。このジョブについては、１０枚の原稿をスキャンすることによって、当該原稿の画像データをファクシミリ通信により送信される前に、パラメータとして、ある特定の宛先がユーザによって操作表示部２０で設定される。残りのパラメータについては、画像処理装置１で予め設定されたデフォルト値が使用される。また、ジョブ「Ｊｏｂ４」のジョブ設定は、登録ジョブ設定として登録されることが可能である。
【００８８】
図６のタイムチャートにおいて、ジョブ「Ｊｏｂ１」、「Ｊｏｂ２」および「Ｊｏｂ４」に記載されている”Scan Status”（スキャン状態）中の矢印は、それぞれのジョブのスキャン動作が実行されている期間を表す。ジョブ「Ｊｏｂ１」、「Ｊｏｂ２」および「Ｊｏｂ３」に記載されている”Print Status”（印刷状態）中の矢印は、それぞれのジョブの印刷動作が実行されている期間を表す。ジョブ「Ｊｏｂ３」に記載されている”PrintRx Status”中の矢印は、ＰＣから画像データが画像処理装置１へ送信している期間を表す。ジョブ「Ｊｏｂ４」に記載されている”FaxTx & Print Status”中の矢印は、スキャン動作によってスキャンされた原稿の画像データの送信が開始されてから、この画像データの送信結果が画像処理装置１に印刷されるまでの期間を表す。
【００８９】
図７（ａ）から（ｆ）は、ジョブ「Ｊｏｂ１」が実行中であるときに、ジョブ「Ｊｏｂ２」が画像処理装置１に入力され、ジョブ「Ｊｏｂ２」のジョブ設定が登録ジョブ設定として登録される場合におけるディスプレイ部２０ａに表示される表示画面の変化を示す説明図である。
【００９０】
図７（ａ）では、ジョブ「Ｊｏｂ１」のスキャン動作が実行中であるときの表示画面が示されている。図７（ａ）に示される画面では、原稿のスキャン動作が実行中である旨のメッセージがメッセージ欄３０に表示される。さらに、図７（ａ）の画面では、ジョブ「Ｊｏｂ１」のジョブ設定を登録ジョブ設定として登録するためのジョブ設定登録ボタン３６が表示される。
【００９１】
その後、ジョブ設定登録ボタン３６が押下されずにジョブ「Ｊｏｂ１」のスキャン動作が完了した場合、図７（ｂ）のような、ホーム画面が表示される。このとき、スキャン動作が完了したジョブ「Ｊｏｂ１」については、バックグランドで印刷動作が実行されている。ジョブ「Ｊｏｂ１」がバックグランドで実行している間に、ジョブ「Ｊｏｂ２」を入力するためにコピーボタン３１が押下されると、図７（ｃ）のようなコピーに関するジョブを入力するための画面が表示される。
【００９２】
原稿が原稿台にセットされた上で、図７（ｃ）の画面で、ジョブ「Ｊｏｂ２」を実行するための必要なパラメータ（コピー部数２０）が設定される。図７（ｃ）のスタートボタン３５が押下されると、画像読取部１３による原稿のスキャン動作が開始され、図７（ｄ）のような画面が表示される。
【００９３】
図７（ｄ）に示される画面では、ジョブ「Ｊｏｂ２」のスキャン動作が実行中である旨のメッセージがメッセージ欄３０に表示される。さらに、図７（ｄ）の画面では、図７（ｃ）の画面で設定されたジョブ設定を登録ジョブ設定として登録するためのジョブ設定登録ボタン３６が表示される。
【００９４】
図７（ｄ）に表示されるジョブ設定登録ボタン３６を押下することによって、ジョブ「Ｊｏｂ２」のジョブ設定が登録される。しかしながら、以下では、リストボタン４０を押下することによって表示される実行中のジョブに関する選択情報のリストからジョブ「Ｊｏｂ２」のジョブ設定を登録する方法について説明する。
【００９５】
図７（ｄ）の画面に表示されているリストボタン４０が押下されると、図７（ｅ）のように、実行中のジョブ「Ｊｏｂ１」および「Ｊｏｂ２」に関する選択情報がリストとして表示される。このリストには、ジョブ「Ｊｏｂ１」の状態が印刷動作中(Printing)であり、ジョブ「Ｊｏｂ１」のジョブ設定は登録可能(Yes)であることが表示されている。また、ジョブ「Ｊｏｂ２」の状態はスキャン動作中であるが、ジョブ「Ｊｏｂ１」の印刷動作が完了するまでジョブ「Ｊｏｂ２」の印刷動作を実行することができないので、リストには、ジョブ「Ｊｏｂ２」の状態は印刷待ち(Print Wait)であることが表示されている。さらに、リストには、ジョブ「Ｊｏｂ２」のジョブ設定は登録可能(Yes)であることが表示されている。
【００９６】
図７（ｆ）の画面中のメッセージ欄３０には、実行中の何れかのジョブのジョブ設定を登録ジョブ設定として登録するために、リストに表示されているジョブに関する選択情報を選択することを促す旨のメッセージが表示される。図７（ｅ）の画面でジョブ「Ｊｏｂ２」が選択されると、図７（ｆ）に示される表示画面が表示される。
【００９７】
図７（ｆ）では、図７（ｄ）と同様に、ジョブ「Ｊｏｂ２」のジョブ設定を登録ジョブ設定として登録するためのジョブ設定登録ボタン３６が表示される。このジョブ設定登録ボタン３６が押下されると、ジョブ「Ｊｏｂ２」のジョブ設定の登録名およびアイコンを設定するための画面（図３（ｄ）参照）が表示される。ジョブ「Ｊｏｂ２」のジョブ設定の登録名およびアイコンの設定後、ジョブ「Ｊｏｂ２」のジョブ設定は登録ジョブ設定として登録される。
【００９８】
バックグランドで実行中のジョブ「Ｊｏｂ１」のジョブ設定の登録方法についても、同様に、上記リストからジョブ「Ｊｏｂ１」が選択されると、ジョブ「Ｊｏｂ１」のジョブ設定を登録ジョブ設定として登録するためのジョブ設定登録ボタン３６が表示される。そして、このジョブ設定登録ボタン３６を押下し、ジョブ「Ｊｏｂ１」のジョブ設定の登録名およびアイコンを設定することにより、ジョブ「Ｊｏｂ１」のジョブ設定が登録される。これにより、バックグランドで実行中のジョブ「Ｊｏｂ１」のジョブ設定を登録ジョブ設定として登録することができる。
【００９９】
図８は、ジョブ「Ｊｏｂ２」およびジョブ「Ｊｏｂ３」が実行中である場合のジョブに関する選択情報のリストを示す画面例である。
【０１００】
図８を参考に、ジョブ「Ｊｏｂ２」のジョブ設定を登録ジョブ設定として登録するためのジョブ設定登録ボタン３６が押下されずにジョブ「Ｊｏｂ２」のスキャン動作が完了した後、ジョブ「Ｊｏｂ２」の印刷動作が実行中であるときに、ジョブ「Ｊｏｂ３」が外部のＰＣから画像処理装置１に入力された場合のジョブ設定登録操作について説明する。
【０１０１】
ジョブ「Ｊｏｂ２」の印刷動作が実行中であるときにジョブ「Ｊｏｂ３」が画像処理装置１に入力されると、ＰＣから文書データが画像処理装置１に送信されるが、ジョブ「Ｊｏｂ２」の印刷動作が完了するまで、「Ｊｏｂ３」の状態は印刷待ちとなる。しかしながら、ジョブ「Ｊｏｂ３」のジョブ設定は登録ジョブ設定として登録されることが禁止されているジョブ設定であるので、図７（ｄ）のようなジョブ「Ｊｏｂ３」のジョブ設定を登録するためのジョブ設定登録ボタン３６が表示されない。
【０１０２】
ジョブ「Ｊｏｂ３」が入力された後リストボタン４０が押下されると、図８のように、実行中のジョブ「Ｊｏｂ２」および「Ｊｏｂ３」に関する選択情報がリストとして表示される。このリストの中で、ジョブ「Ｊｏｂ２」の状態が印刷動作中(Printing)であり、ジョブ「Ｊｏｂ２」のジョブ設定は登録可能(Yes)であることが表示されている。また、ジョブ「Ｊｏｂ３」の状態は印刷待ち(Print Wait)であり、ジョブ「Ｊｏｂ３」のジョブ設定は登録ジョブ設定として登録不可(No)であることが表示されている。ジョブ「Ｊｏｂ３」のジョブ設定は登録ジョブ設定として登録されることが禁止されているジョブ設定であるので、上記リストからジョブ「Ｊｏｂ３」が選択されたとしても、図７（ｆ）のようなジョブ設定登録ボタン３６は表示されない。これにより、ジョブ「Ｊｏｂ３」のジョブ設定のような登録ジョブ設定として登録されることが禁止されているジョブ設定を登録することができない。
【０１０３】
図９は、ジョブ「Ｊｏｂ３」およびジョブ「Ｊｏｂ４」が実行中である場合のジョブに関する選択情報のリストを示す画面例である。
【０１０４】
図９を参考に、ジョブ「Ｊｏｂ３」の印刷動作が実行中であるときに、ジョブ「Ｊｏｂ４」のファクシミリ送信動作が実行されている場合のジョブ設定登録操作について説明する。
【０１０５】
ジョブ「Ｊｏｂ３」は、外部のＰＣから送信された文書データの印刷に関するジョブであり、スキャン動作を伴うジョブではない。従って、ジョブ「Ｊｏｂ２」のスキャン動作が完了すると、スキャン動作を伴うジョブ「Ｊｏｂ４」の入力が可能になる。原稿が原稿台にセットされた上で、ジョブ「Ｊｏｂ４」を実行するための必要なパラメータが設定される。画面上のスタートボタン３５が押下されると、ジョブ「Ｊｏｂ４」のスキャン動作が開始される。このとき、図７（ｄ）のように、ジョブ「Ｊｏｂ４」のジョブ設定を登録するためのジョブ設定登録ボタン３６が画面上に表示される。
【０１０６】
ジョブ設定登録ボタン３６が押下されずに、ジョブ「Ｊｏｂ３」およびジョブ「Ｊｏｂ４」が実行中であるときにリストボタン４０が押下されると、図９のように、実行中のジョブ「Ｊｏｂ３」および「Ｊｏｂ４」に関する選択情報がリストとして表示される。このリストには、ジョブ「Ｊｏｂ３」の状態が印刷動作中(Printing)であり、ジョブ「Ｊｏｂ３」のジョブ設定は登録不可(No)であることが表示されている。また、ジョブ「Ｊｏｂ４」の状態はファクシミリ送信中(Fax Transmitting)であり、ジョブ「Ｊｏｂ４」のジョブ設定は登録可能(Yes)であることが表示されている。
【０１０７】
図９の画面中のメッセージ欄３０には、実行中の何れかのジョブのジョブ設定を登録ジョブ設定として登録するために、リストに表示されているジョブに関する選択情報を選択することを促す旨のメッセージが表示される。図９の画面でジョブ「Ｊｏｂ４」が選択されると、図７（ｆ）と同様に、ジョブ「Ｊｏｂ４」のジョブ設定を登録ジョブ設定として登録するためのジョブ設定登録ボタン３６が表示される。
【０１０８】
このジョブ設定登録ボタン３６が押下されると、ジョブ「Ｊｏｂ４」のジョブ設定の登録名およびアイコンを設定するための画面（図３（ｄ）参照）が表示される。ジョブ「Ｊｏｂ４」のジョブ設定の登録名およびアイコンの設定後、ジョブ「Ｊｏｂ４」のジョブ設定は登録ジョブ設定として登録される。
【０１０９】
図１０は、登録ジョブ設定として登録されるべきジョブ設定の登録名およびアイコンの設定操作に関するフローチャートである。
【０１１０】
スキャン動作が実行中であるジョブのジョブ設定に対応するジョブ設定登録ボタン３６を押下することにより、または、実行中のジョブに関する選択情報のリストの中から登録されるべきジョブ設定を有するジョブを選択した後に、この選択されたジョブのジョブ設定に対応するジョブ設定登録ボタン３６を押下することにより、登録されるべきジョブ設定が決定される。その後、以下のような当該ジョブ設定の登録名およびアイコンの設定操作が実行される。
【０１１１】
登録ジョブ設定として登録されるべきジョブ設定が決定されるとき、ＣＰＵ１０は、ＲＯＭ１１に格納されているジョブ設定用の登録名およびアイコンのデータベースから、このジョブ設定のパラメータに対応した登録名候補およびアイコン候補を読み出す。その読み出された登録名候補およびアイコン候補は、操作表示部２０のディスプレイ部２０ａに表示される（ステップＳ２０１）。
【０１１２】
読み出された登録名候補およびアイコン候補としては、ジョブ設定のパラメータをすぐに連想させるような登録名およびアイコンなどが挙げられる。例えば、２Ｉｎ１がパラメータとして設定されるジョブ設定の場合、２Ｉｎ１という用語が含まれている登録名および２Ｉｎ１印刷が連想されやすいアイコンが候補として上記データベースから読み出されてもよい。
【０１１３】
読み出された登録名候補およびアイコン候補がディスプレイ部２０ａに表示されたとき、当該登録名候補およびアイコン候補を別の登録名候補およびアイコン候補に変更するか否かの確認を促す旨がディスプレイ部２０ａに表示される。このとき、タッチセンサ部２０ｂは、登録名候補およびアイコン候補の変更指示を受け付ける（ステップＳ２０２）。
【０１１４】
タッチセンサ部２０ｂが読み出された登録名候補およびアイコン候補を変更しない旨の指示を受け付けたことをＣＰＵ１０が判断したとき（ステップＳ２０２；Ｎｏ）、登録されるべきジョブ設定の登録名およびアイコンが確定される（ステップＳ２０３）。このジョブ設定が確定された登録名およびアイコンとともに不揮発メモリ１６に記憶されることにより、ジョブ設定が登録ジョブ設定として登録され、ジョブ設定の登録名およびアイコンの設定操作が終了する。
【０１１５】
タッチセンサ部２０ｂが読み出された登録名候補およびアイコン候補を変更する旨の指示を受け付けたことをＣＰＵ１０が判断したとき（ステップＳ２０２；Ｙｅｓ）、登録名およびアイコンの編集が実行される（ステップＳ２０４）。この登録名等の編集としては、例えば、ＣＰＵ１０は、上記登録名およびアイコンのデータベースからさらに別の複数の登録名候補およびアイコン候補を読み出し、ユーザがこれら読み出された登録名候補等から１の登録名および１のアイコンを選択することにより、登録名等の編集が実行されてもよい。また、登録名の編集としては、タッチセンサ部２０ｂを利用してユーザが一から登録名を入力することで登録名の編集が実行されてもよい。
【０１１６】
ＣＰＵ１０は、登録名およびアイコンの編集を実行することによって当該登録名等を確定したとき（ステップＳ２０３）、登録されるべきジョブ設定が確定された登録名およびアイコンとともに不揮発メモリ１６に記憶される。このことにより、当該ジョブ設定が登録ジョブ設定として登録され、ジョブ設定の登録名およびアイコンの設定操作が終了する。
【０１１７】
図１１（ａ）は、登録されるべきジョブ設定の登録名およびアイコンを設定するための画面例であり、図１１（ｂ）は、ジョブ設定で使用されるパラメータと、当該パラメータに対応する登録名候補およびアイコン候補を表す表である。
【０１１８】
図１１（ａ）に示された画面では、登録されるべきジョブ設定の登録名候補およびアイコン候補が表示される。この表示された登録名候補およびアイコン候補に変更がなければ、ユーザがＯＫボタン３７を押下することにより、ジョブ設定の登録名およびアイコンが確定される。また、この登録名候補およびアイコン候補に変更があれば、ユーザがキャンセルボタン３７ａを押下することにより、登録名およびアイコンの編集が実行される。
【０１１９】
図１１（ｂ）によれば、例えば、２Ｉｎ１がパラメータとして設定された場合、このパラメータを有するジョブ設定の登録名候補として、パラメータ名2In1と、ユーザ名User1と、プログラム名Pro1とが組み合わされた”User1_Pro1_2In1”が生成される。また、アイコン候補についても、２Ｉｎ１印刷が連想されやすいアイコンが候補として、図１１（ｂ）に示されているようなアイコンが読み出される。同様に、例えば、パンチ・ステイプルを実行するためのパラメータが設定された場合、このパラメータを有するジョブ設定の登録名候補として、パラメータPunch Stapleと、ユーザ名User2と、プログラム名Pro4とが組み合わされた”User2_Pro4_Punch Staple”が生成される。また、アイコン候補についても、パンチ・ステイプルが連想されやすいアイコンが候補として、図１１（ｂ）に示されているようなアイコンが読み出される。
【０１２０】
図１２は、登録ジョブ設定を呼び出すことで再設定するためのプログラムボタン３９の表示位置を設定するためのプログラムボタン表示位置設定に関するフローチャートである。
【０１２１】
まず、新規にジョブ設定が登録されたとき（ステップＳ３０１）、画像処理装置１のシステム設定モードで予め設定された位置に、新規の登録ジョブ設定を呼び出すことで再設定するためのプログラムボタン３９（以下、「新規のプログラムボタン３９」という）が表示される。
【０１２２】
上記システム設定モードでは、新規のプログラムボタン３９が、コピーボタン３１などの複数のファンクションボタンの直後であって、すでに登録済みのジョブ設定を再設定するための１以上のプログラムボタンよりも前の位置に追加されるか、または、上記１以上のプログラムボタンよりも後ろの位置に追加されるかが設定される。
【０１２３】
新規のプログラムボタン３９が、複数のファンクションボタンの直後であって、上記１以上のプログラムボタンよりも前の位置に追加されることが設定されていた場合（ステップＳ３０２；前から）、この新規のプログラムボタン３９は、複数のファンクションボタンの直後であって、上記１以上のプログラムボタンよりも前の位置に追加される（ステップＳ３０３）。これにより、新規のプログラムボタン３９のプログラムボタン表示位置設定が終了する。
【０１２４】
複数のファンクションボタンの直後に新規のプログラムボタン３９が追加されることにしたのは、以下の理由による。ファンクションボタンは、画像処理装置１の各種機能のうち、利用されるべき機能を選択するためのボタンであるので、新規のプログラムボタン３９が追加されることによってファンクションボタンの表示位置が変化することは好ましくない。また、ファンクションボタンは、画像処理装置１の各種機能に基づく動作（コピー、ファクシミリ通信など）に対する詳細な設定がジョブ設定として登録される登録ジョブ設定を呼び出すことで再設定するためのプログラムボタン３９とは異なる。従って、ファンクションボタンをプログラムボタンから分離して表示することが好ましい。
【０１２５】
新規のプログラムボタン３９が、すでに登録済みのジョブ設定を再設定するための１以上のプログラムボタンよりも後ろの位置に追加されることが設定されていた場合（ステップＳ３０２；後ろから）、新規のプログラムボタン３９は、上記１以上のプログラムボタンよりも後ろの位置に追加される（ステップＳ３０４）。これにより、新規のプログラムボタン３９のプログラムボタン表示位置設定が終了する。
【０１２６】
図１３（ａ）から（ｃ）は、新規のプログラムボタン３９が追加される前と追加された後のディスプレイ部２０ａに表示される表示画面を示す説明図である。
【０１２７】
図１３（ａ）は、新規のプログラムボタン３９が追加される前のホーム画面を示す。図１３（ａ）に示される例では、すでに２の登録ジョブ設定が不揮発メモリ１６に記憶されており、これらジョブ設定を再設定するための２のプログラムボタンが表示されている。
【０１２８】
２の登録ジョブ設定が不揮発メモリ１６に記憶されている状態で、新規にジョブのジョブ設定が登録ジョブ設定として登録されるとき、画像処理装置１のシステム設定モードで予め設定された位置に、新規のプログラムボタン３９が追加される。上記システム設定モードで、複数のファンクションボタンの直後であって、既存のプログラムボタンよりも前の位置に、新規のプログラムボタン３９が追加されることが設定されていた場合、図１３（ｂ）のように、新規のプログラムボタン３９が、これら２つのプログラムボタンよりも前の位置に追加される。一方、上記システム設定モードで、既存のプログラムボタンよりも後ろの位置に、新規のプログラムボタン３９が追加されることが設定されていた場合、図１３（ｃ）のように、新規のプログラムボタン３９が、これら２つのプログラムボタンよりも前の位置に追加される。
【０１２９】
画像処理装置１のシステム設定モードにおける新規のプログラムボタン３９の表示位置に関する設定については、上記システム設定モードで、適宜、当該設定を変更することは可能である。また、上記の例では、新規のプログラムボタン３９の表示位置が上記システム設定モードで予め設定されていたが、新規にジョブのジョブ設定が登録ジョブ設定として登録される度に、画像処理装置１は、ユーザからの新規のプログラムボタン３９の表示位置に関する指示を受け付けてもよい。
【０１３０】
次に、ディスプレイ部２０ａに表示されるプログラムボタン３９を削除するためのプログラムボタン削除処理について説明する。
【０１３１】
図１４は、通常モードとプログラムボタン編集モードとの間の移行を示す説明図である。通常モードとは、画像処理装置１の各種機能（コピー機能、ファクシミリ機能など）に基づく動作（原稿のコピー、画像データを送信するためのファクシミリ通信など）を実行するためのモードである。この通常モードでは、さらに、上述のように、実行中のジョブのジョブ設定を登録ジョブ設定として登録するためのジョブ設定登録操作などが実行される。プログラムボタン編集モードとは、登録ジョブ設定に対応するプログラムボタン３９を削除するためのモードである。また、プログラムボタン３９が削除されることによって、このプログラムボタン３９に対応する登録ジョブ設定が不揮発メモリ１６から削除される。
【０１３２】
画像処理装置１のモードが通常モードである場合、ホーム画面に表示されている編集ボタン６０（図１６（ａ）参照）がユーザによって押下されると、画像処理装置１のモードは、プログラムボタン編集モードへ移行する。
【０１３３】
画像処理装置１のモードがプログラムボタン編集モードである場合、ホーム画面に表示されている編集解除ボタン６２（図１６（ｂ）参照）が押下されるか、または、削除されるべきプログラムボタン３９が選択された上で、削除ボタン６３（図１６（ｂ）参照）が押下されると、画像処理装置１のモードは、通常モードへ移行する。
【０１３４】
図１５は、登録ジョブ設定を呼び出すことで再設定するためのプログラムボタン３９を削除するプログラムボタン削除処理に関するフローチャートである。このプログラムボタン削除処理によってプログラムボタン３９が削除されると、このプログラムボタン３９に対応する登録ジョブ設定もまた不揮発メモリ１６から削除される。
【０１３５】
まず、画像処理装置１のモードが通常モードである場合、ＣＰＵ１０は、ディスプレイ部２０ａに表示される１以上のプログラムボタン３９を削除するためのプログラムボタン編集モードに移行したか否かを監視する（ステップＳ４０１；Ｎｏ）。
【０１３６】
タッチセンサ部２０ｂがホーム画面に表示されている編集ボタン６０（図１６（ａ）参照）の押下を検出することにより、ＣＰＵ１０がプログラムボタン編集モードに移行したことを判断すると（ステップＳ４０１；Ｙｅｓ）、削除されることが可能であるプログラムボタン３９にＸ印６１（図１６（ｂ）等参照）が付加情報として付加される（ステップＳ４０２）。これにより、Ｘ印６１が付加されたプログラムボタン３９が削除対象であることが表示される。
【０１３７】
ＣＰＵ１０は、Ｘ印６１が付加されたプログラムボタン３９から１以上のプログラムボタン３９を選択する旨の指示をタッチセンサ部２０ｂが受け付けたか否かを判断する（ステップＳ４０３）。上記１以上のプログラムボタン３９の選択指示をタッチセンサ部２０ｂが受け付けたことをＣＰＵ１０が判断すると（ステップＳ４０３；Ｙｅｓ）、ステップＳ４０４へ進む。
【０１３８】
Ｘ印６１が付加されたプログラムボタン３９から１以上のプログラムボタン３９を選択する旨の指示をタッチセンサ部２０ｂが受け付けていないことをＣＰＵ１０が判断すると（ステップＳ４０３；Ｎｏ）、ＣＰＵ１０は、タッチセンサ部２０ｂがディスプレイ部２０ａに表示される編集解除ボタン６２（図１６（ｂ）参照）の押下を検出したか否かを判断する（ステップＳ４０５）。
【０１３９】
タッチセンサ部２０ｂがこの編集解除ボタン６２の押下を検出したことをＣＰＵ１０が判断すると（ステップＳ４０５；Ｙｅｓ）、プログラムボタン編集モードから、画像処理装置１の各種機能に基づく動作（コピー、ファクシミリ通信など）を実行する通常モードに移行し（ステップＳ４０６）、プログラムボタン削除処理が終了する。
【０１４０】
タッチセンサ部２０ｂがこの編集解除ボタン６２の押下を検出していないことをＣＰＵ１０が判断すると（ステップＳ４０５；Ｎｏ）、再びステップＳ４０３へ戻り、ＣＰＵ１０は、削除対象であるプログラムボタン３９の選択、または、編集解除ボタン６２の押下を監視する。
【０１４１】
一方、Ｘ印６１が付加されたプログラムボタン３９から１以上のプログラムボタン３９を選択する旨の指示をタッチセンサ部２０ｂが受け付けたことをＣＰＵ１０が判断すると（ステップＳ４０３；Ｙｅｓ）、ＣＰＵ１０は、タッチセンサ部２０ｂが選択されたプログラムボタン３９を削除するための削除ボタン６３（図１６（ｂ）参照）の押下を検出したか否かを判断する（ステップＳ４０４）。
【０１４２】
タッチセンサ部２０ｂがこの削除ボタン６３の押下を検出したことをＣＰＵ１０が判断すると（ステップＳ４０４；Ｙｅｓ）、選択されたプログラムボタン３９を削除するための削除処理が実行される（ステップＳ４０７）。これにより、当該プログラムボタン３９がホーム画面から削除されて、プログラムボタン削除処理が終了する。
【０１４３】
タッチセンサ部２０ｂが削除ボタン６３の押下を検出していないことをＣＰＵ１０が判断すると（ステップＳ４０４；Ｎｏ）、ＣＰＵ１０は、編集解除ボタン６２の押下を検出したか否かを判断する（ステップＳ４０８）。
【０１４４】
タッチセンサ部２０ｂがこの編集解除ボタン６２の押下を検出したことをＣＰＵ１０が判断すると（ステップＳ４０８；Ｙｅｓ）、プログラムボタン編集モードから、通常モードに移行し（ステップＳ４０６）、プログラムボタン削除処理が終了する。
【０１４５】
タッチセンサ部２０ｂがこの編集解除ボタン６２の押下を検出していないことをＣＰＵ１０が判断すると（ステップＳ４０８；Ｎｏ）、再びステップＳ４０４へ戻り、ＣＰＵ１０は、削除ボタン６３の押下、または、編集解除ボタン６２の押下を監視する。
【０１４６】
図１６（ａ）から（ｅ）は、プログラムボタン編集モードでプログラムボタン３９が削除されるまでのディスプレイ部２０ａに表示される表示画面の変化を示す説明図である。
【０１４７】
図１６（ａ）では、画像処理装置１の各種機能（コピー機能、ファクシミリ機能など）のうち、入力されるべきジョブを実行するために利用される１の機能を選択するための表示画面（ホーム画面）が示されている。この表示画面には、画像処理装置１のモードをプログラムボタン編集モードへ移行させるための編集ボタン６０が表示されている。
【０１４８】
図１６（ｂ）では、編集ボタン６０が押下された後の表示画面が示されている。この編集ボタン６０が押下されると、画像処理装置１のモードが上記プログラムボタン編集モードへ移行し、削除されることが可能であるプログラムボタン３９ａから３９ｃにＸ印６１が付加情報として付加される。これにより、Ｘ印６１が付加されたプログラムボタン３９ａから３９ｃが削除対象であることがユーザに認識される。一方、コピーボタン３１、ファックスボタン３２、メールボタン３３およびフォルダーボタン３４にはＸ印６１が付加されない。コピーボタン３１等のファンクションボタンは、システムアイコンとして機能しているので、上記プログラムボタン編集モードにおいて、これらファンクションボタンは削除対象とはならない。さらに、メッセージ欄３０では、削除対象であるプログラムボタン３９ａから３９ｃのうち、削除されるべきプログラムボタンを選択するよう促す旨のメッセージが表示される。
【０１４９】
削除対象となっているプログラムボタン３９ａから３９ｃの中から、第１プログラムボタン３９ａ（登録名「Ｐｒｏ１」）を削除されるべきボタンとして選択するために、プログラムボタン３９ａが押下されると、第１プログラムボタン３９ａのＸ印６１が、図１６（ｃ）のようなチェック印６４に変化する。このチェック印６４が付加された第１プログラムボタン３９ａは、削除ボタン６３を押下することによって削除される。
【０１５０】
図１６（ｃ）の画面でさらに第３プログラムボタン３９ｃ（登録名「Ｐｒｏ３」）が押下されると、図１６（ｄ）のように、第３プログラムボタン３９ｃのＸ印６１がチェック印６４に変化する。図１６（ｄ）の画面で削除ボタン６３が押下されると、図１６（ｅ）のように、第１プログラムボタン３９ａと第３プログラムボタン３９ｃが削除され、第２プログラムボタン３９ｂが残された状態となる。
【０１５１】
また、削除された第１プログラムボタン３９ａに対応するジョブ「Ｐｒｏ１」のジョブ設定および第３プログラムボタン３９ｃに対応するジョブ「Ｐｒｏ３」のジョブ設定は、不揮発メモリ１６から削除される。
【０１５２】
上述のプログラムボタン削除処理では、すべてのプログラムボタン３９ａから３９ｃが削除対象であるとして、プログラムボタン３９ａから３９ｃのすべてにＸ印６１が付加される。しかしながら、プログラムボタン３９ａから３９ｃの中で削除されたくないプログラムボタンがある場合には、このプログラムボタンが削除されないように、当該プログラムボタンを公知の方法で保護してもよい。この場合には、編集ボタン６０が押下されても、保護されたプログラムボタンにはＸ印６１が付加されない。このことにより、保護されたプログラムボタンが誤って削除されることが防止される。
【０１５３】
図１７は、登録ジョブ設定に対応するプログラムボタン３９を押下することによって登録ジョブ設定を呼び出して再設定し、ジョブを実行するためのジョブ実行操作に関するフローチャートである。
【０１５４】
まず、ＣＰＵ１０は、タッチセンサ部２０ｂがホーム画面に表示されるプログラムボタン３９の押下を検出しているか否かを監視する（ステップＳ５０１；Ｎｏ）。
【０１５５】
タッチセンサ部２０ｂがこのプログラムボタン３９の押下を検出することをＣＰＵ１０が判断すると（ステップＳ５０１；Ｙｅｓ）、このプログラムボタン３９に対応する登録ジョブ設定が呼び出される。そして、ＣＰＵ１０は、この登録ジョブ設定を自動的に画像処理装置１に設定する。タッチセンサ部２０ｂがスタートボタン３５の押下を検出することによって、ＣＰＵ１０は、これらのジョブ設定に基づいてジョブを実行し（ステップＳ５０２）、ジョブ実行操作を終了させる。
【０１５６】
図１８（ａ）から（ｃ）は、ジョブ実行操作によってジョブが実行される場合のディスプレイ部２０ａに表示される表示画面の変化を示す説明図である。
【０１５７】
図１８（ａ）では、実行されるべきジョブの登録ジョブ設定に対応したプログラムボタン３９が表示されたホーム画面が示されている。このプログラムボタン３９が押下されると、図１８（ｂ）のように、このプログラムボタン３９に対応する登録ジョブ設定が自動的に設定される。
【０１５８】
図１８（ｂ）に示された画面でスタートボタン３５が押下されると、当該設定に基づいてジョブが実行され、図１８（ｃ）のような画面が表示される。
【０１５９】
図１８（ｃ）では、原稿のスキャン動作が実行中である旨のメッセージがメッセージ欄３０に表示されるとともに、実行中のジョブのジョブ設定がすでに登録ジョブ設定として登録済みである旨のメッセージがメッセージ欄５０に表示される。
【０１６０】
このように、上記実施の形態では、操作表示部２０に実行中の複数のジョブの中の１以上のジョブに関する情報が、ジョブ設定登録ボタン３６やリストとして表示され、表示された情報から１以上のジョブが選択され、選択されたジョブのジョブ設定が不揮発メモリ１６に記憶される。これにより、画像処理装置１がマルチジョブ対応の画像処理装置であるとしても、複数のジョブが実行中であるときに、ユーザは、これら実行中の複数のジョブの中からジョブを選択し、この選択されたジョブのジョブ設定を登録することができる。
【０１６１】
また、入力されたジョブが原稿のスキャン動作を伴うジョブである場合、このスキャン動作中に、ディスプレイ部２０ａに当該ジョブのジョブ設定を登録ジョブ設定として登録するためのジョブ設定登録ボタン３６が表示され、ユーザがこのジョブ設定登録ボタン３６を押下することにより、当該ジョブのジョブ設定が登録される。これにより、スキャン動作中のジョブのジョブ設定を簡単な操作で登録ジョブ設定として登録することができる。
【０１６２】
入力されたジョブが原稿のスキャン動作を伴うジョブである場合、このスキャン動作が完了してから当該ジョブが完了するまでの間に、ＣＰＵ１０は、このジョブに関する情報をリストとしてディスプレイ部２０ａに表示させ、ユーザがこのリストからこのジョブを選択することにより、当該ジョブのジョブ設定が登録ジョブ設定として登録される。これにより、スキャン動作が完了し、その後の動作がバックグランドで実行されているジョブのジョブ設定を簡単な操作で登録ジョブ設定として登録することができる。
【０１６３】
以上、本発明の実施の形態および各変形例を図面によって説明してきたが、具体的な構成は実施の形態に示したものに限られるものではなく、本発明の要旨を逸脱しない範囲における変更や追加があっても本発明に含まれる。
【０１６４】
本実施の形態では、主にスキャン動作を伴うジョブのジョブ設定を登録ジョブ設定として登録する場合を例として説明した。しかしながら、スキャン動作を伴わないジョブのジョブ設定についても、当該ジョブがフォアグランドで実行中であるときには、ジョブ設定登録ボタン３６をディスプレイ部２０ａに表示させ、このジョブ設定登録ボタン３６を押下することによって当該ジョブのジョブ設定が登録されてもよい。また、スキャン動作を伴わないジョブがバックグランドで実行中であるときには、リストボタン４０を押下することによってリストを表示させ、このリストからこの実行中のジョブを選択することにより当該ジョブのジョブ設定が登録されてもよい。
【０１６５】
また、本実施の形態では、外部のＰＣから入力されたジョブのジョブ設定を登録ジョブ設定として登録することが禁止されている。しかしながら、外部のＰＣから入力されたジョブ以外にも、登録ジョブ設定として登録することを禁止するジョブ設定がある場合には、これらジョブ設定を登録することを禁止するように、画像処理装置１の設定がユーザによって任意に変更されてもよい。
【０１６６】
＜変形例１＞
図１９（ａ）および（ｂ）は、変形例１に係る、ジョブ「Ｊｏｂ１」が実行中であるときに操作表示部２０に表示される表示画面の変化を示す説明図である。
【０１６７】
図１９（ａ）には、図７（ａ）と同様に、上記ジョブ「Ｊｏｂ１」のスキャン動作が実行中であるときに、当該ジョブ「Ｊｏｂ１」のジョブ設定を登録ジョブ設定として登録するためのジョブ設定登録ボタン３６が表示されている。ジョブ設定登録ボタン３６が押下されずにジョブ「Ｊｏｂ１」のスキャン動作が完了した後、画像処理装置１は、新たなジョブを受け付けることが可能な状態になり、ディスプレイ部２０ａには、ホーム画面が表示される。
【０１６８】
図１９（ｂ）では、このホーム画面上に、バックグランドで実行中のジョブ「Ｊｏｂ１」のジョブ設定を登録することを促す旨のアナウンス７０が表示されている。これにより、実行中のジョブのジョブ設定の登録漏れを防ぐことができる。
【０１６９】
＜変形例２＞
図２０（ａ）から（ｄ）は、変形例２に係る、ジョブ「Ｊｏｂ１」が実行中であるときに、ジョブ「Ｊｏｂ２」が画像処理装置１に入力される場合における操作表示部２０に表示される表示画面の変化を示す説明図である。この変形例２では、バックグランドで実行中の各ジョブのジョブ設定に対応するジョブ設定登録ボタンは、操作表示部２０に表示される。
【０１７０】
図２０（ａ）には、図７（ａ）と同様に、上記ジョブ「Ｊｏｂ１」のスキャン動作が実行中であるときに、当該ジョブ「Ｊｏｂ１」のジョブ設定を登録ジョブ設定として登録するためのジョブ設定登録ボタン３６が表示されている。ジョブ設定登録ボタン３６が押下されずにジョブ「Ｊｏｂ１」のスキャン動作が完了した後、ホーム画面でコピーボタン３１が押下されると、図２０（ｂ）のように、上記ジョブ「Ｊｏｂ２」を入力するための画面が表示される。
【０１７１】
このとき、図２０（ｂ）の画面には、バックグランドで実行中のジョブ「Ｊｏｂ１」のジョブ設定を登録ジョブ設定として登録するためのジョブ設定登録ボタン８０が表示されている。このジョブ設定登録ボタン８０により、リストボタン４０を押下することなしに、バックグランドで実行中のジョブ「Ｊｏｂ１」のジョブ設定を簡単に登録することができる。
【０１７２】
さらに、ジョブ「Ｊｏｂ２」のスキャン動作が実行されているときに、図２０（ｃ）の画面では、ジョブ「Ｊｏｂ２」のジョブ設定を登録ジョブ設定として登録するためのジョブ設定登録ボタン８１の他に、バックグランドで実行中のジョブ「Ｊｏｂ１」のジョブ設定を登録ジョブ設定として登録するためのジョブ設定登録ボタン８２が表示されている。このジョブ設定登録ボタン８２により、リストボタン４０を押下することなしに、バックグランドで実行中のジョブ「Ｊｏｂ１」のジョブ設定を簡単に登録することができる。
【０１７３】
ジョブ「Ｊｏｂ２」のスキャン動作が完了した後、ホーム画面でコピーボタン３１が押下されると、図２０（ｄ）のような画面が表示される。
【０１７４】
図２０（ｄ）の画面には、バックグランドで実行中のジョブ「Ｊｏｂ１」のジョブ設定を登録ジョブ設定として登録するためのジョブ設定登録ボタン８３と、バックグランドで実行中のジョブ「Ｊｏｂ２」のジョブ設定を登録ジョブ設定として登録するためのジョブ設定登録ボタン８４が表示される。このことにより、リストボタン４０を押下することなしに、バックグランドで実行中のジョブ「Ｊｏｂ１」および「Ｊｏｂ２」のジョブ設定を簡単に登録することができる。
【０１７５】
＜変形例３＞
図２１（ａ）から（ｄ）は、変形例３に係る、ジョブ「Ｊｏｂ１」のジョブ設定が仮登録されるときに操作表示部２０に表示される表示画面の変化を示す説明図である。これらの図を参考に、上記ジョブ「Ｊｏｂ１」のジョブ設定を仮登録する操作を説明する。
【０１７６】
図２１（ａ）には、図７（ａ）と同様に、上記ジョブ「Ｊｏｂ１」のスキャン動作が実行中であるときに、当該ジョブ「Ｊｏｂ１」のジョブ設定を登録ジョブ設定として登録するためのジョブ設定登録ボタン３６が表示されている。ジョブ設定登録ボタン３６が押下されずにジョブ「Ｊｏｂ１」のスキャン動作が完了した後、すなわち、ジョブ「Ｊｏｂ１」のジョブ設定が登録されずにバックグランドでジョブ「Ｊｏｂ１」の印刷動作が実行されるとき、ジョブ「Ｊｏｂ１」のジョブ設定は仮登録ジョブ設定として不揮発メモリ１６に記憶され、図２１（ｂ）のようなホーム画面が表示される。
【０１７７】
図２１（ｂ）のホーム画面では、ジョブ「Ｊｏｂ１」に対応するプログラムボタン９０が表示される。このプログラムボタン９０は、本登録された登録ジョブ設定に対応するプログラムボタン３９から区別されるために、点線で表示される。
【０１７８】
このジョブ「Ｊｏｂ１」のジョブ設定が仮登録ジョブとして記憶されてから所定期間経過前に、このプログラムボタン９０を押下することによってジョブ「Ｊｏｂ１」のジョブ設定が不揮発メモリ１６から呼び出され、ジョブ「Ｊｏｂ１」が実行されると、この仮登録ジョブ「Ｊｏｂ１」のジョブ設定が登録ジョブ設定として本登録される。このとき、ホーム画面には、図２１（ｃ）のように、当該プログラムボタン９０が実線で表示される。
【０１７９】
一方、このジョブ「Ｊｏｂ１」のジョブ設定が仮登録ジョブ設定として記憶されてから所定期間経過前に、このプログラムボタン９０を押下することによってジョブ「Ｊｏｂ１」が実行されなかった場合、この仮登録されたジョブ「Ｊｏｂ１」のジョブ設定は、自動的に不揮発メモリ１６から削除される。このとき、ホーム画面には、図２１（ｄ）のように、当該プログラムボタン９０が削除される。
【０１８０】
ここで、所定期間は、例えば、１週間など、この所定期間内で再び仮登録ジョブ設定が呼び出されることによって再設定され、ジョブが実行されなければ、この仮登録ジョブ設定が今後実行される可能性が低いと想定されるような期間に設定されるのが好ましい。この所定期間は、ユーザによって変更されてもよい。
【０１８１】
マルチジョブ対応の画像処理装置１では、複数のジョブが一度に実行されるので、１のジョブがフォアグランドで実行される時間は、シングルジョブのみ対応の画像処理装置と比べて一般的に短い。従って、ジョブがフォアグランドで実行されている間に表示されるジョブ設定登録ボタン３６は、すぐに表示画面から消えてしまうことが多い。
【０１８２】
そこで、変形例３では、ジョブ設定登録ボタン３６が消えてしまうことにより、ジョブ設定登録ボタン３６を押下するだけの簡単な操作でジョブ設定を登録することができなくなるといったことを解決するために、ジョブ設定登録ボタン３６が押下されずにジョブがバックグランドで実行されるとき、当該ジョブ設定が仮登録ジョブ設定として不揮発メモリ１６に記憶される。このとき、当該ジョブ設定に対応するプログラムボタン９０がホーム画面に表示される。
【０１８３】
このジョブ設定が仮登録されてから所定期間経過前に、プログラムボタン９０を押下することによってジョブのジョブ設定が不揮発メモリ１６から呼び出され、ジョブが実行されると、この仮登録されたジョブ設定が登録ジョブ設定として本登録される。これにより、簡単な操作でジョブ設定を登録することができる。
【０１８４】
一方、ジョブ設定が仮登録されてから所定期間経過前に、プログラムボタン９０を押下することによってジョブが実行されなかった場合、この仮登録されたジョブ設定が不揮発メモリ１６から削除される。上記所定期間内に実行されない仮登録ジョブ設定は今後実行される可能性が低い。変形例３では、当該仮登録ジョブ設定が前記所定期間経過後に自動的に削除されるので、ユーザによる当該仮登録ジョブ設定の削除操作を省くことができる。
【０１８５】
また、変形例３では、所定期間を、たとえば１週間など、ある一定の時間としたが、所定期間は一定の時間に限られない。たとえば、所定期間は画像処理装置１の使用回数で決定されてもよい。具体的には、ユーザが画像処理装置１をある回数使用した間に仮登録ジョブ設定を有するジョブが実行されない場合には、仮登録ジョブ設定が自動的に削除されてもよい。
【０１８６】
さらに、所定期間が経過しなくとも、仮登録ジョブ設定に対する削除操作が実行された場合には、この仮登録ジョブ設定が削除されてもよい。また、所定期間において仮登録ジョブ設定を有するが実行されなくとも、仮登録ジョブ設定を本登録する操作が実行されれば、この仮登録ジョブ設定は本登録されてもよい。
【０１８７】
上述の変形例１から変形例３について、これら変形例で示された２以上の特徴が、本実施の形態で記載された画像処理装置１に適宜組み込まれてもよい。
【符号の説明】
【０１８８】
１…画像処理装置（ＭＦＰ）
１０…ＣＰＵ
１１…ＲＯＭ
１２…ＲＡＭ
１３…画像読取部
１４…プリンタ部
１５…画像処理部
１６…不揮発メモリ
１７…自動原稿搬送部（ＡＤＦ）
１８…ファクシミリ通信部
１９…ネットワーク通信部
２０…操作表示部
２０ａ…ディスプレイ部
２０ｂ…タッチセンサ部
２９…ホームボタン
３０…メッセージ欄
３１…コピーボタン
３１ａ…カラー設定ボタン
３１ｂ…記録紙サイズ設定ボタン
３１ｃ…倍率設定ボタン
３１ｄ…片面・両面設定ボタン
３２…ファックスボタン
３３…メールボタン
３４…フォルダーボタン
３５…スタートボタン
３６…ジョブ設定登録ボタン
３７…ＯＫボタン
３７ａ…キャンセルボタン
３８…ＯＫボタン
３９…プログラムボタン
３９ａ…第１プログラムボタン
３９ｂ…第２プログラムボタン
３９ｃ…第３プログラムボタン
４０…リストボタン
５０…メッセージ欄
６０…編集ボタン
６１…Ｘ印
６２…編集解除ボタン
６３…削除ボタン
６４…チェック印
７０…アナウンス
８０…ジョブ設定登録ボタン
８１…ジョブ設定登録ボタン
８２…ジョブ設定登録ボタン
８３…ジョブ設定登録ボタン
８４…ジョブ設定登録ボタン
９０…プログラムボタン
【図１】
0005505657.tif 000002
【図２】
0005505657.tif 000003
【図３】
0005505657.tif 000004
【図４】
0005505657.tif 000005
【図５】
0005505657.tif 000006
【図６】
0005505657.tif 000007
【図７】
0005505657.tif 000008
【図８】
0005505657.tif 000009
【図９】
0005505657.tif 000010
【図１０】
0005505657.tif 000011
【図１１】
0005505657.tif 000012
【図１２】
0005505657.tif 000013
【図１３】
0005505657.tif 000014
【図１４】
0005505657.tif 000015
【図１５】
0005505657.tif 000016
【図１６】
0005505657.tif 000017
【図１７】
0005505657.tif 000018
【図１８】
0005505657.tif 000019
【図１９】
0005505657.tif 000020
【図２０】
0005505657.tif 000021
【図２１】
0005505657.tif 000022